(57)【要約】【課題】  搬送が容易で、且つ十分な強度を確保して大型の水路にも簡単に対応でき、さらに水路幅が狭まったり広くなったりする現場仕様にも円滑対応できる環境保全型の組立て水路構築体を提供する。【解決手段】  地表下に横断面凵字形に掘られた水路用掘削部ｕ内に、側面視略Ｌ形にしたその下壁部１ａ，１ａを相対向させ且つ一定距離Ｗをあけて配設されるプレキャストコンクリート製のＬ型ブロック１，１と、両下壁部１ａ間が一定距離Ｗあいたスペースに、該下壁部１ａとの間に隙間εを残して両下壁部間を橋渡しし且つ水路の流れ方向に対し所定間隔をとって水路内の水が地中に浸透し得る開きスペースＳが確保されるようにして、配設される帯板状のプレキャストコンクリート製の内梁２と、該内梁２と前記Ｌ型ブロック１との間の前記隙間εを埋め、両者を一体化させてなる現場打ちコンクリート３と、を具備する。【選択図】  図１
2005194721.tif 000002
【特許請求の範囲】
【請求項１】
地表下に横断面凵字形に掘られた水路用掘削部内に、側面視略Ｌ形にしたその下壁部（１ａ，１ａ）を相対向させ且つ一定距離をあけて配設されるプレキャストコンクリート製のＬ型ブロック（１，１）と、
両下壁部（１ａ，１ａ）間が一定距離あいたスペースに、該下壁部との間に隙間（ε）を残して両下壁部間を橋渡しし且つ水路の流れ方向に対し所定間隔をとって水路内の水が地中に浸透し得る開きスペース（Ｓ）が確保されるようにして、配設される帯板状のプレキャストコンクリート製の内梁（２）と、
該内梁と前記Ｌ型ブロックとの間の前記隙間を埋め、両者を一体化させてなる現場打ちコンクリート（３）と、を具備することを特徴とする組立て水路構築体。
【請求項２】
地表下に横断面凵字形に掘られた水路用掘削部内に、側面視略Ｌ形にしたその下壁部（１ａ，１ａ）を相対向させ且つ一定距離をあけて配設されるプレキャストコンクリート製のＬ型ブロック（１，１）と、
両下壁部（１ａ，１ａ）間が一定距離あいたスペースに、両端を夫々の前記下壁部に当接させて両下壁部間を橋渡しし且つ水路の流れ方向に対し所定間隔をとって水路内の水が地中に浸透し得る開きスペース（Ｓ）が確保されるようにして、配設される帯板状のプレキャストコンクリート製の内梁（２）と、
該内梁と前記Ｌ型ブロックとの当接域に、両者を一体化させてなる連結部材（５）と、を具備することを特徴とする組立て水路構築体。
【請求項３】
前記Ｌ型ブロックの一方を、側面視略コ字形にしたプレキャストコンクリート製のコ字型ブロック（４）とする請求項１又は２に記載の組立て水路構築体。
【発明の詳細な説明】
【技術分野】
【０００１】  本発明は農水路や排水路等として設置される開渠タイプの組立て水路構築体であって、特に大型の水路用に好適な組立て水路構築体に関する。
【背景技術】
【０００２】  開渠タイプの農水路や排水路には、これまで全体がコンクリートで固められた横断面Ｕ字形，横断面凵字形したコンクリート製品が用いられていた。ところが、最近は全体をコンクリートで固めるのでなく、水路の一部に地中とつながる貫通スペースを設け、そのスペースを利用して植物等が生育し得るようにし、自然を守り景観を良くする水路が求められるようになってきた。水路内に植物の生育を促し魚類が生息し易い環境保全型のコンクリート製水路が提案されるようになってきた（例えば、特許文献１参照）。【０００３】
【特許文献１】          特開２００１−１７２９４１公報（第２−８頁）
【０００４】  特許文献１の技術は、「断面Ｕ形の農業用などの排水路又は用排水路用コンクリートブロックにおいて、水路内幅より狭い幅である複数の貫通穴を底版に配設し、または該貫通穴と嵌凹穴を組み合わせ、ランダムや千鳥状など部分的に配設したことを特徴とする環境に配慮した水路用Ｕ形コンクリートブロック」である。
【発明の開示】
【発明が解決しようとする課題】
【０００５】  しかし、特許文献１等の従来技術は、大きな水路に対し適用困難であった。水路幅が８ｍ以上ある大型，大容量の水路も現実に存在しており、こうした水路に対応する大容量の環境配慮型のコンクリートブロックは製作しづらかった。さらに、大型になると、立体的に嵩張るコンクリートブロックが出来上がってもその搬送が困難であった。加えて、水路は必ずしも幅が一定に保たれているわけでなく、ときに水路のルート途中でその幅が広がりまた狭まったりすることがあり、このような水路仕様に、幅が固定された特許文献１のコンクリートブロックでは現場の状況に合わせて臨機応変に対応するのは難しかった。
また特許文献１に記載があるように、「凵形のコンクリート枠の側面に、板状のコンクリート柵板を組み合わせて、底板をほぼ全面に開口した柵渠と呼ばれるコンクリート二面張り水路」が存在するが、該コンクリート二面張り水路は「底面のほぼ全面が開口しているため、水路勾配の急な箇所では土砂が吸い出され、底面と共に側面が洗掘され、水路としての機能が阻害される」問題があった。さらに、該コンクリート二面張り水路は長板状のコンクリート柵板が一体化されておらず、個々バラバラであった。そのため、大型水路になるとコンクリート柵板が強度的にもたず、適用不可能であった。【０００６】  本発明は上記問題点を解決するもので、搬送が容易で、且つ十分な強度を確保して大型の水路にも簡単に対応でき、さらに水路幅が狭まったり広くなったりする現場仕様にも円滑対応できる環境保全型の組立て水路構築体を提供することを目的とする。
【課題を解決するための手段】
【０００７】  上記目的を達成すべく、請求項１に記載の発明の要旨は、地表下に横断面凵字形に掘られた水路用掘削部内に、側面視略Ｌ形にしたその下壁部（１ａ，１ａ）を相対向させ且つ一定距離をあけて配設されるプレキャストコンクリート製のＬ型ブロック（１，１）と、両下壁部（１ａ，１ａ）間が一定距離あいたスペースに、該下壁部との間に隙間（ε）を残して両下壁部間を橋渡しし且つ水路の流れ方向に対し所定間隔をとって水路内の水が地中に浸透し得る開きスペース（Ｓ）が確保されるようにして、配設される帯板状のプレキャストコンクリート製の内梁（２）と、該内梁と前記Ｌ型ブロックとの間の前記隙間を埋め、両者を一体化させてなる現場打ちコンクリート（３）と、を具備することを特徴とする組立て水路構築体にある。
請求項２に記載の発明の要旨は、地表下に横断面凵字形に掘られた水路用掘削部内に、側面視略Ｌ形にしたその下壁部（１ａ，１ａ）を相対向させ且つ一定距離をあけて配設されるプレキャストコンクリート製のＬ型ブロック（１，１）と、両下壁部（１ａ，１ａ）間が一定距離あいたスペースに、両端を夫々の前記下壁部に当接させて両下壁部間を橋渡しし且つ水路の流れ方向に対し所定間隔をとって水路内の水が地中に浸透し得る開きスペース（Ｓ）が確保されるようにして、配設される帯板状のプレキャストコンクリート製の内梁（２）と、該内梁と前記Ｌ型ブロックとの当接域に、両者を一体化させてなる連結部材（５）と、を具備することを特徴とする組立て水路構築体にある。
請求項３の発明たる組立て水路構築体は、請求項１又は２で、Ｌ型ブロックの一方を、側面視略コ字形にしたプレキャストコンクリート製のコ字型ブロック（４）とすることを特徴とする。【０００８】（作用）
請求項１の発明のごとく、Ｌ型ブロック（１，１）と内梁（２）と、内梁とＬ型ブロックとの間の隙間を埋め、両者を一体化させてなる現場打ちコンクリート（３）とを具備する組立て水路構築体とすると、荷重のかかる水路の側壁部分を頑強なＬ型ブロックが担うので、強度十分にして安全であり、大型水路にも対応できる。組立て水路構築体は、その完成前の段階で、対のＬ型ブロックと内梁とに大きく三分割の構成部品に分離されるので、製作や現場への搬送が容易となる。しかも、現場で組立て水路を完成すれば現場打ちコンクリートの部分がＬ型ブロックと内梁とを連結一体化するので、当初から立体的に一体化した水路構築体とほぼ同じものが出来上がる。
また水路には高さが同じでも幅の違うものがあり、特許文献１の場合、Ｕ形コンクリートブロックをいく種類のものを準備しなければならず、さらにそれらが立体的に嵩張ることから品揃えによるコスト高、保管スペースが大きくなることによるコスト高を招くが、本組立て水路構築体によれば帯板状で場所を殆どとらない内梁の部分だけ種々のサイズのものを準備すれば足りるので、さほどコスト高を招かず、且つ保管や資材管理等も楽になる。さらに現実の水路は部分的に広まったり狭くなったりすることがあるが、こうした場合でも、特許文献１の一体品のＵ形コンクリートブロックと違って、現場打ちコンクリート（３）の幅で調整できるので現場仕様に円滑対応できる。東西南北に長い日本では天候の違いで植物の生育環境が大きく異なり、これに対応する生育用開口部を設けなければならないが、水路の流れ方向に対し内梁の間隔を調整して開きスペースの大きさを変えることによって、いとも簡単にその土地の環境に合わせた環境保全型の組立て水路構築体ができる。
請求項２の発明のごとく、Ｌ型ブロック（１，１）と内梁（２）と連結部材（５）と、を具備する組立て水路構築体とすると、請求項１と同様、荷重のかかる水路の側壁部分を頑強なＬ型ブロックが担うので、安全であり、大型水路にも十分対応できる。また、対のＬ型ブロックと内梁とに大きく三分割の構成部品に元は分離されているので、製作や現場への搬送が容易となる。しかも、現場で組立て水路を完成すれば連結部材がＬ型ブロックと内梁とを連結一体化するので、当初から立体的に一体化した水路構築体とほぼ同じものが出来上がる。水路幅の違うものに対しても内梁の部分だけ取り揃えれば足りる。そして、内梁の間隔を調整して開きスペースの大きさを簡単に変えることができる環境保全型の組立て水路構築体になっている。
請求項３の発明のごとく、請求項１又は２で、Ｌ型ブロックの一方を、側面視略コ字形にしたプレキャストコンクリート製のコ字型ブロック（４）とすると、上面開口の一部を歩道等に利用できる。
【発明の効果】
【０００９】  本発明の組立て水路構築体は、水路内に開きスペースを設けることによって植物の生育を促し魚類が生息し易い環境を整え、また製作，搬送時は水路構築体がその構成部品に分割された状態にあるので、搬送が容易で且つ十分な強度を確保して大型の水路にも対応可能となり、さらに構成部品の内梁の長さを変えるだけで、水路幅が狭まったり広くなったりする現場仕様にも円滑対応できるなど優れた効果を発揮する。
【発明を実施するための最良の形態】
【００１０】  以下、本発明に係る組立て水路構築体（以下、単に「水路構築体」という。）について詳述する。
（１）実施形態１
図１〜図５は本発明の水路構築体の一形態で、図１，図２はその側面図、図３は水路構築体の平面図、図４，図５は現場打ちコンクリートを打つ前のＬ型ブロックと内梁の間にある鉄筋の位置関係を示す部分図で、図４が側面図で図５が平面図である。図１は図３のＩ−Ｉ線矢視図で、図２は図３のＩＩ−ＩＩ線矢視図、図４は図５のＩＩＩ−ＩＩＩ線矢視図になっている。図４では図面を判りやすくするため内梁から突出する櫛歯状鉄筋の図示を省略する。【００１１】  水路構築体はＬ型ブロック１と内梁２と現場打ちコンクリート３とを具備する（図１）。
Ｌ型ブロック１は予め形枠に打ち込んでつくった長手方向等断面形状のプレキャストコンクリート製品である。地表下に横断面凵字形に掘られた水路用掘削部ｕ内の底面側に配される下壁部１ａと側壁面に配される立壁部１ｂとが文字通り略直角の側面視略Ｌ形になっている。水路構築体により水路が形成されたとき、Ｌ型ブロックの立壁部１ｂが水路の側壁をなし、下壁部１ａが水路側壁の下縁から水路底面に延設される部分になる。側面視略Ｌ形のＬ型ブロックはその形状から頑強にして強度大のものを製作できる。
Ｌ型ブロック１の下壁部１ａの前端部分は段差部１０を設けて、現場打ちコンクリート３との一体性がより高まるようにしている。先組み，ユニット化された鉄筋が形枠内に組み込まれ、その後、コンクリートの打ち込み、養生，脱型等を経てＬ型ブロック１が出来る。鉄筋の一部は下壁部１ａの前端面から対向配設される相手方Ｌ型ブロック１（内梁２が配設されたときはこの内梁２）に向けて上下二段の櫛歯状鉄筋１４となって突出する。該櫛歯状鉄筋１４の突出長さは現場打ちコンクリート３の側面視幅より若干短めに設定される（図４）。
水路用構築体において、Ｌ型ブロック１は対で設けられ、両Ｌ型ブロック１が下壁部１ａを突き出し互いに向き合うよう相対向し且つ一定距離Ｗをあけて配設される。一定距離Ｗあけて配設されたとき、両Ｌ型ブロック１の立壁部間１ｂ，１ｂが水路幅になる（図１）。【００１２】  図１に示す本実施形態の水路用構築体は水路幅が内寸で約８ｍ、深さが約２ｍある。水路用構築体の側面視におけるＬ型ブロック１の下壁部１ａの長さは約１ｍ、立壁部１ｂの長さは２．２ｍとし、両下壁部１ａ，１ａ間の一定距離Ｗを約６．３ｍとする。立壁部１ｂの厚み，下壁部１ａの厚みは１５０〜２５０ｍｍ程度になる。そして、Ｌ型ブロック１は図１の紙面垂直方向の奥行き長さが約２ｍでこれを１ブロック単位とする。必要な水路長さを形成する水路構築体にあたっては、該Ｌ型ブロック１，１，…の側縁を突き合わせ長くつないでいく（図３）。
ここでは、水路用掘削部ｕ内の底面に基礎材ｋを敷き詰めその上に基礎コンクリートｆが載る。該基礎材ｆは現場打ち工法でなされ、図１，図２の紙面垂直方向に走る。２枚の基礎コンクリートｆは水路用掘削部ｕ内で両側の側壁面寄りの底面に配され、該基礎コンクリートｆの上に敷きモルタルｍを敷いてからＬ型ブロック１が載置される。基礎コンクリートｆの幅は側面視で約２ｍあり、図１，図２のごとくＬ型ブロック１、現場打ちコンクリート３の部分、さらに内梁２，開きスペースＳの一部に該基礎コンクリートｆがかかる。２枚の基礎コンクリートｆ間には開口Ｏが設けられる。【００１３】  内梁２は前記Ｌ型ブロック１の両下壁部１ａ間が一定距離Ｗあいたスペースに配設される一定厚みの帯板状プレキャストコンクリート製品である。内梁２の長さは両下壁部間Ｗより短く設定され、前記Ｌ型ブロック１の下壁部１ａとの間に現場打ちコンクリート３が打たれる隙間εを残して、両下壁部１ａ，１ａ間を橋渡しする（掛け渡す）ように配設される。先組み，ユニット化された鉄筋が形枠内に組み込まれ、その後、コンクリートの打ち込み、養生，脱型等を経て内梁２が出来る。鉄筋の一部は内梁２の両端面から、対向配設される相手方Ｌ型ブロック１に向けて櫛歯状鉄筋２４が水平突出するようにしている。図４で該櫛歯状鉄筋２４の図示を省略するが、上下２段の櫛歯状鉄筋１４のものと同じ高さの上下２段の櫛歯状鉄筋２４が内梁２の端面から突出する。内梁２の主要部には一定幅の帯板部２ａが形成されが、主要部から両端に向かう端部ではハ字状に末広がりの拡開部２ｂが延設される。内梁２の側端面から水平突出する櫛歯状鉄筋２４ができるだけ数多く設けられるようにするためである。櫛歯状鉄筋２４の突出長さは、Ｌ型ブロック１と同様、現場打ちコンクリート３の側面視幅より若干短めに設定される。該櫛歯状鉄筋２４は前記Ｌ型ブロック１の櫛歯状鉄筋１４と互い違いに配されるようにしてセットされ（図５）、両櫛歯状鉄筋１４，２４の横筋に対し縦筋ｊが現場で格子状に配されその交差部を結束して鉄筋格子とする。
本実施形態は内梁２の長さを約５．３ｍとし、帯板部２ａの幅を約０．５ｍ、拡開部２ｂの最大幅を約１ｍに設定する。内梁２の厚みは下壁部１ａの厚みと略同じで、１５０〜２５０ｍｍ程度になる。【００１４】  そして、内梁２は、水路の流れ方向（水路構築体の長手方向）に対し所定間隔をとって水路内の水が地中に浸透し得る開きスペースＳが確保されるようにして配設される。例えば、図３のごとく内梁２を水路の流れ方向（水路構築体の長手方向）に対し所定間隔（ここでは２ｍ間隔）で配設し、内梁２間に地中とつながる開きスペースＳ（貫通スペース）が設けられるようにしている。【００１５】  現場打ちコンクリート３は、水路用掘削部ｕ内に配されたＬ型ブロック１と内梁２との間の前記隙間εを埋め、両者を一体化させてなるものである。図５のように地表ＧＬ下に横断面凵字形に掘られた水路用掘削部ｕ内に、Ｌ型ブロック１と内梁２をセットしていき、現場打ちコンクリート３域でＬ型ブロック１，内梁２の櫛歯状鉄筋１４，２４に縦筋ｊを格子状に配筋，結束し、形枠を組立てた後、コンクリートを打ち込み、その場で硬化させて現場打ちコンクリート３を完成させる。現場打ちコンクリート上面３１，Ｌ型ブロック１の下壁部上面１ａ１，内梁上面２１は面一となり、水路の底面をなす。本実施形態の現場打ちコンクリート３は、Ｌ型ブロック１と内梁２との間の前記隙間εを埋め、さらに図２，図３のごとく水路流れ方向全域に亘って形成される。【００１６】  Ｌ型ブロック１と内梁２とを現場打ちコンクリート３が隙間εを埋めて連結一体化するが、内梁２が既述のごとく水路の流れ方向に対し所定間隔をとって配設されるため、開きスペースＳができる。前記開きスペースＳには玉石６等が敷き詰められ、かくして所望の水路構築体が出来上がる。玉石６等が敷き詰められた開きスペースＳは、基礎コンクリートｆ間の開口Ｏ、さらに基礎材ｋを介して地中とつながり、水が浸透し開きスペースＳの玉石６等から植物が生育できる上面開口の開渠タイプで、環境配慮型の水路構築体となる。【００１７】  このような水路構築体は、製作，出荷段階ではＬ型ブロック１，内梁２とに３分割され、これらが水路構築体の分割構成品になっているので、それぞれの分割構成品は完成品と比べれば当然小さくなり製作が簡単で、また搬送も容易になる。
水路の深さが同じでも水路幅が異なるケースは多々みられるが、本発明ではＬ型ブロック１が共用できるため内梁２の長さの違うものをラインアップすれば足り、在庫管理等が非常に楽になる。また施工する水路幅が一定でなく部分的に広くなったり狭まったりしても、現場打ちコンクリート３の幅で簡単に調整できる。さらに、植物が生育できる環境をより整えようと企図する場合は、水路の流れ方向に対し設ける内梁２のピッチ（所定間隔）を広げて円滑対応でき、逆に雑草が生い茂るおそれがある場合は、そのピッチを狭めることにより楽に対応できる。
加えて、現場打ち工法で施工困難なＬ型ブロック１や内梁２は、専門の製造工場でプレキャストコンクリート製品として生産することで、品質信頼を高め、且つ現場施工の工期短縮を可能にする。その一方で、一部に現場打ちコンクリート３の部分があるので、融通性を有し、現場状況に合わせて臨機応変に対応できる。水路幅がルート途中で変動する場合も、現場打ちコンクリート３の部分を変更調整して難なく処理できる。【００１８】（２）実施形態２
図６〜図８は本実施形態の水路構築体で、図６はその側面図、図７は（イ）が連結部材周りの拡大平面図、（ロ）が（イ）のＩＶ−ＩＶ線矢視図、図８は水路構築体の平面図である。図６は図８のＶ−Ｖ線矢視図を示し、Ｌ型ブロック，内梁等で断面を示すハッチング表示を省く。【００１９】  本実施形態は、Ｌ型ブロック１を実施形態１のものと同じくするが、実施形態１の現場打ちコンクリート３をなくしている。Ｌ型ブロック１，１は、地表ＧＬ下に横断面凵字形に掘られた水路用掘削部ｕ内に、側面視略Ｌ形にしたその下壁部１ａ，１ａを相対向させ且つ一定距離Ｗをあけて配設される（図６）。
内梁２はＬ型ブロック１に係る両下壁部１ａ間が一定距離Ｗあいたスペースに配設される帯板状のプレキャストコンクリート製品である。内梁２の両端を夫々の下壁部１ａに当接させて橋渡し（掛け渡し）し且つ水路の流れ方向に対し所定間隔をとって水路内の水が地中に浸透し得る開きスペースＳが確保されるようにしている。
そして、内梁２とＬ型ブロック１とを連結部材５で一体化させるようにしている。内梁２の両端部分およびＬ型ブロック１の下壁部１ａの前端部分で、内梁２とＬ型ブロック１との当接域にそれぞれ凹部２５，１５を設け、該凹部の前壁を形成するプレート２６，１６に孔２６１，１６１を穿設する。Ｌ型ブロック下壁部１ａ，１ａの前端部分に内梁２の両端をそれぞれ当接させたとき、プレート１ｂとプレート２ｂとが当接する。該孔２６１，１６１にボルト５１を挿通してボルト５１，ナット５２からなる連結部材５で内梁２とＬ型ブロック１とを連結一体化させる。符号１７，２７は凹部２５，１５を囲う板片、符号２８はアンカー筋を示す。
他の構成は実施形態１と同様で、その説明を省く。実施形態１と同一符号は同一又は相当部分を示す。【００２０】  このように構成した水路構築体も、現場打ちコンクリート３による作用効果の部分を除けば、実施形態１と同様の作用効果が得られる。一方、本実施形態の水路構築体は現場打ちコンクリート３がなくなるので、工事現場での鉄筋工事，型枠工事，コンクリート工事等が削減されて、実施形態１のものに比べ現場施工の省力化が進む。【００２１】（３）実施形態３
本実施形態は図９，図１０のごとく、実施形態１における一方のＬ型ブロック１を、側面視略コ字形にしたプレキャストコンクリート製のコ字型ブロック４に置き換えたものである。下壁部４ａと立壁部４ｂに上壁部４ｃが加わるコ字型ブロック４に置き換えることによって、この上壁部４ｃを歩道等として利用できる。符号ＳＴはストッパ、符号ｓは石張りを示す。ここでは、実施形態１の水路構築体にコ字型ブロック４を組み込んだが、実施形態２の水路構築体の一方のＬ型ブロック１に代えてコ字型ブロック４を組み込むことも可能である。
他の構成は実施形態１，２と同様で、その説明を省く。実施形態１，２と同一符号は同一又は相当部分を示す。【００２２】  このように構成した水路構築体も、実施形態１，２と同様の作用効果が得られる。さらにコ字型ブロック４の上面部４ｃを歩道等に有効活用でき有益となる。【００２３】  尚、本発明においては、前記実施形態に示すものに限られず、目的，用途に応じて本発明の範囲で種々変更できる。Ｌ型ブロック１，内梁２，現場打ちコンクリート３，コ字型ブロック４，連結部材５等の形状，大きさ，厚み，材質等は用途に合わせて本発明の範囲内で適宜選択できる。実施形態のＬ型ブロック１は下壁部１ａと立壁部１ｂとが略直角になっているが、下壁部１ａに対し立壁部１ｂが多少外広がりになる鈍角のものも、ここでいうＬ型ブロックとする。図１〜図１０中、図面を判りやすくするため断面を表すハッチング表示を一部省略する。
【図面の簡単な説明】
【００２４】
【図１】  実施形態１の組立て水路構築体の側面図である。
【図２】  実施形態１の組立て水路構築体の側面図である。
【図３】  図１の組立て水路構築体の平面図である。
【図４】  現場打ちコンクリートを打つ前のＬ型ブロックと内梁の間にある鉄筋の位置関係を示す部分側面図である。
【図５】  現場打ちコンクリートを打つ前のＬ型ブロックと内梁の間にある鉄筋の位置関係を示す部分平面図である。
【図６】  実施形態２の組立て水路構築体の側面図である。
【図７】  （イ）が連結部材周りの拡大平面図、（ロ）が（イ）のＩＶ−ＩＶ線矢視図である。
【図８】  図６，図７の組立て水路構築体の平面図である。
【図９】  実施形態３の組立て水路構築体の側面図である。
【図１０】  図９の平面図である。
【符号の説明】
【００２５】１            Ｌ型ブロック
１ａ          下壁部
２            内梁
３            現場打ちコンクリート
４            コ字型ブロック
５            連結部材
ｕ            水路用掘削部
Ｗ            一定距離（両下壁部間）
ε            隙間
Ｓ            開きスペース
ＧＬ          地表
【図１】
2005194721.tif 000003
【図２】
2005194721.tif 000004
【図３】
2005194721.tif 000005
【図４】
2005194721.tif 000006
【図５】
2005194721.tif 000007
【図６】
2005194721.tif 000008
【図７】
2005194721.tif 000009
【図８】
2005194721.tif 000010
【図９】
2005194721.tif 000011
【図１０】
2005194721.tif 000012